(57)【要約】      （修正有）【目的】本考案は、米以外の穀物、例えば、粟、稗、黍、麦等を単一種類毎に又は複数種類に混合して収容する包装用保型容器を提供する。【構成】プラスチック素材で成形した円筒形容器体1に米以外の精穀してある粟、稗、黍、麦等の穀粒6を単一種類又は複数種類に混合して収容すると共に、容器体の開口部11の縁辺を高周波溶着式のシート状中蓋2で密封し、又は米以外の上記粟、稗、麦等の穀粒6を単一種類ごと又は数種類を混合してスティック形袋体又は角形小袋体又はその他適宜の形状を有する小袋に封入し、その封入したスティック形袋体4又は角形小袋体5等を円筒形容器体1に収納し、且つ当該容器体開口部11の外径に設けたネジ部1nに内径にネジ部31を設けた外蓋体3を螺合して閉蓋する穀物の包装用保型容器。【選択図】図１
0003138412.tif 000002
【実用新案登録請求の範囲】
【請求項１】
プラスチック素材で成形した円筒形容器体(1)に米以外の穀粒(6)を単一種類又複数種類に混合して収容すると共に、容器体の開口部(11)の縁辺を熱圧着式シート状中蓋(2)で被着し、且つ容器体開口部に被嵌式の外蓋体(3)で閉蓋したことを特徴とする穀物の包装用保型容器。
【請求項２】
米以外の粟、稗、麦等の穀粒(6)を単一種類ごと又は数種類に混合してスティック形袋体(4)又は小袋体(5)に封入し、その封入したスティック形袋体(4)又は角形小袋体(5)をプラスチック素材で成形した円筒形容器体(1)に収納し、且つ容器体開口部(11)に被嵌式の外蓋体(3)で閉蓋したことを特徴とする穀物の包装用保型容器。
【請求項３】
プラスチック形素材で成形した円筒形容器体(1)に米以外の粟、稗、麦等の穀粒(6)を単一種類又は複数種類に混合して封入したスティック形袋体(4)又は角形小袋体(5)を収納し、当該容器体開口部(11)の外径に設けたネジ部(1n)に内径にネジ部(31)を設けた外蓋体(3)を螺合して閉蓋することを特徴とする穀物の包装用保型容器。
【考案の詳細な説明】
【技術分野】
【０００１】
本考案は、米以外の穀物の粒すなわち穀粒を単一種類又は数種類を混合して収容する包装用保型容器に関するものである。
【背景技術】
【０００２】
一般に米の炊飯等に使用される精米は、比較的少ない容量であっても３Kg詰め、５Kg詰め等のように米袋内に比較的多量に定量充填されている。これにより、使用の度に前記米袋から米を取り出し、又はあらかじめ米袋から移し換えた保存容器から米を取り出して所要量分計量して洗米をなし、電気炊飯器等を用いて炊飯することが行われている。
【０００３】
そして、従来においても、米を小分けした包装袋に関する発明考案が提供されている。
【特許文献１】特開２００４−０６５２１１号公報の考案
【特許文献２】特開２００３−３３４００４号公報の考案
【特許文献３】実用新案登録３０１５２７１号公報の考案
【０００４】
上記特許文献１の考案は、市販されている米は、Kg単位で販売に供されているため、購入した後、実際に家庭において炊飯される米の分量である合単位に量り直す必要があるとともに、米を、購入したときの状態を維持しつつ、保管することが困難であるので、計量の手間を省くことができるとともに、米の鮮度を保ち、炊飯時に、米の食味が落ちないように密封保存することができる米パックを提供するとしている。
そして、一度の食事において、米を炊く分量である１合、２合という具合に、合単位で米を密封するとともに、窒素ガス等を米パック内に封入したり、米パック内を真空状態にしたりする。さらに、１パック単体のみだけでなく、１パックを数個連結して構成するものであるとしている。
【０００５】
次に特許文献２の考案は、無洗米の食味を損なうことがないように、無洗米を好適な容器で密封すると共に、黴や雑菌の繁殖を防ぐことができる無洗米パックを提供する。
気体の非透過性を有する素材で構成された保存パックに、無洗米を充填し、減圧脱気して、密封した無洗米パックであって、無洗米には、所要の品質保存状態を維持するための劣化防止手段が施されている。劣化防止手段は、無洗米を充填する際の雰囲気を不活性ガスとすることで、減圧脱気の後に無洗米の粒子間に、少なくとも不活性ガス以外のガスが残留しないようにした。保存パックは、中身が視認できるような透明容器、及び、透明容器の開口縁に封着される、白色シートからなる蓋とで構成したものとされている。
【０００６】
さらに特許文献３の考案は、米包装品の少量に定量充填した米を排出するのみで、新たに秤量ならびに洗米を行って調理することを回避した「米の包装袋」を提供するとし、短形状の袋に米を定量充填すると共に、前記袋２の縦横比を４〜６とした構成とされている。
【考案の開示】
【考案が解決しようとする課題】
【０００７】
ところが、特許文献１の考案は、米パックがプラスチックフィルムなどの厚さが極薄の包装材料に米が収容されているから、これをロール上に巻き取り重ねて保管したり、九十九折りに重ねたりして保管するため、中身の米がこすれ合ったりして砕けるおそれがある。
またこれらを冷蔵庫に収容したりするには嵩張って場所を取り不適当である。
【０００８】
次に、特許文献２の考案にあっては、有底角筒形状の箱型透明容器に無洗米を収容するようになっているから、浅底であっても面積をとると共に、深底にあっては一度に使い切れないときは、残った米が空気に触れて食味が落ちる原因は解消されないと共に、かなりの容積を占める結果となり、冷蔵庫等に縦置き保管する場合に場所を取り不適当である。
【０００９】
さらに、特許文献３の考案にあっては、米袋がビニールやポリエチレンなどからなる幅５３ｍｍ、長さ２７０ｍｍとかなり長い平袋であることにより、保管するのに長さが邪魔になると共に、この袋体を積んだりして保管する際に圧力がかかって袋が変形して内容物に変化を与えるおそれがある。また冷蔵庫等に収容する場合に縦に並べ置きりするのに安定性が悪い。
【００１０】
そこで、本願の出願人は、実用新案登録第3127908号において、「米の包装用保型容器において、プラスチック形素材で成形した１合入り又は２合入り３合入り等の円筒形容器体(1)に精米若しくは胚芽米の精米又は無洗米や発芽米等の米(3)を容器本体の開口(11)を接着剤付きシート素材の蓋(4)によって密封した米の包装用保型容器」を提供した。これによって、米を詰める容器は真空圧空成形又は射出成形による樹脂加工であるため、積み重ねたりしても容器が変形したりせず、内容物の品質を損なうことがない、という効果が得られる。
【００１１】
ところが、最近は米以外の穀物、例えば、粟、稗、黍、麦等を米に混ぜて炊くことがある。その理由は次のとおりである。粟（あわ）は、腎臓の働きを良くし、脾臓や胃の熱を取り去る働きがあり、低カロリーである。また、稗（ひえ）は、たんぱく質、脂肪が多く栄養的にほかの穀物よりすぐれている。黍（きび）は、脾臓や胃の働きを助けるける作用がある。麦は、食物繊維が豊富であり、これらを適宜米に混ぜ加えて食することが普及している。
【００１２】
そのため、米以外の穀物を小容量収容する専用の包装用容器があると便利であるが、従来は米以外の穀物を比較的小容量で容器に詰めて販売するものは存在しなかった。そこで、本出願は米以外の粟、稗、黍、麦等の穀粒を小分けにして包装する容器を提供するものである。
【課題を解決するための手段】
【００１３】
本考案の第１は、米以外の穀物の包装用保型容器において、プラスチック素材で成形した円筒形容器体に米以外の精穀してある穀粒(6)を単一種類又は複数種類に混合して収容すると共に、容器体の開口部の縁辺を熱圧着式シート状中蓋で被着し、且つ容器体開口部に被嵌式の外蓋体で閉蓋したものである。
【００１４】
本考案の第２は、米以外の穀物の包装用保型容器において、米以外のあらかじめ精製してある精穀してある粟、稗、麦等の穀粒を単一種類ごと又は数種類に混合してスティック形袋体又は角形小袋体封入し、その封入したスティック形袋体又は小袋体をプラスチック素材で成形した円筒形容器体に収納し、且つ容器体開口部に被嵌式の外蓋体で閉蓋したものある。
【００１５】
本考案の第３は、米以外の穀物の包装用保型容器において、米以外の精穀してある粟、稗、麦等の穀粒を単一種類又は複数種類に混合して封入したスティック形袋体又は角形小袋体を収納し、当該容器体開口部の外径に設けたネジ部に内径にネジ部を設けた外蓋体を螺合して閉蓋するようにしたものである。
【考案の効果】
【００１６】
本考案は上記の構成であるから次の効果がある。すなわち、米以外の精穀してある粟、稗、黍、麦等の穀粒を１種類毎に分けて１合入りや２合入りの容器体に詰め、又は米以外の粟、稗、黍、麦等の穀粒を２種類以上、適宜に混ぜ合わせてあることによって、栄養バランスの確保ができ、健康の維持及び増進が図れる。そして、当該米以外の穀粒は比較的小容量に小分けして収容されるから、多種類の穀粒を容易に購入し、且つ場所を取ることなく保管することができる。しかも、１度に又は短期間に使い切ることができて、無駄を省くことができる。また、必要に応じてすぐに取り出せることができて便利である。そして、米以外の穀粒を詰める円筒形容器体は真空圧空成形又は射出成形による樹脂加工であるため、積み重ねたりしても容器が変形したりせず、内容物の品質を損なうことがない。
【００１７】
さらに、米以外の精穀してある粟、稗、黍、麦等の穀粒を小分けして１種類ごとに詰めたスティック形袋の複数本を１合入り、又は２合入り等の容器に収容したことにより、この容器体を２本、３本、４本、５本、６本とパック詰めすることにより、スーパーマーケット又はコンビニエンスストアの店頭に缶ビールやカップ酒の陳列と同じ要領で積み重ね、安定して陳列することができる。
【００１８】
しかも、販売に段階で例えば６本入りのパック詰めする容器には、粟入リ１本＋稗入り１本のように、登録実用新案（登録第3127908号）に係る好みの銘柄の精米を詰めた容器と本考案に係る容器を適宜に組み合わせることができる。
また、購入後は、缶ビールやカップ酒と同じように1個でも冷蔵庫に安定して縦置きすることができ、密封状態で鮮度を保って保管しておくことができる。
【考案を実施するための最良の形態】
【００１９】
本考案を実施するための最良の形態は次のとおりである。第１の最良の形態は、プラスチック素材で成形した１合入り又は２合入り、３合入り等の円筒形容器体に五穀と呼ばれる穀粒のうち、米以外の精穀してある粟、稗又は黍、麦、豆（大豆・小豆）を１種類ごとに当該容器体に収納し、シート状中蓋で高周波溶着によって密着し、さらに外蓋で閉じて密封する。
第２の最良の形態は、上記の米以外の粟、稗又は黍、麦、豆（大豆・小豆）を１種類ごとに５〜３０ｇにスティック形袋体を封入しておき、このスティック形袋体を円筒形容器体に複数本縦置きに収納する。そして、必要に応じてスティック形袋体から目的の穀粒を取り出して米に混ぜて炊飯するものである。なお、米以外の穀物だけを米を混ぜずに食することも可能ではある。
【実施例】
【００２０】
次に本考案の実施例を図面に基づいて説明する。１はプラスチック素材で成形した１合
入り、２合入り、３合入り、４合入り、５合入り等適宜の容量のうち、約２合入りに設定した円筒形容器本体であり、頂部に広口の開口部１1が設けられている。また、当該容器の直径Ｒを４．０ｃｍ〜１０．０ｃｍ、高さＨを８．０ｃｍ〜１５．０ｃｍの範囲内に設定する。図１の約２合入り容器体１にあっては、直径＝約６．０ｃｍ、高さ＝１２．０ｃｍに設定されている。
【００２１】
２は包装用容器体１の開口部１1を塞ぐシート状中蓋であり、図1の例は、アルミ箔の面にプラスチック膜を積層し、高周波溶着で開口部１1の周縁面を閉蓋する。３は容器体の１の開口部１1の外周に設けたネジ１nに螺合するネジ部３nを有するねじ込み式の外蓋、４はスティック形袋体であり、長さは前記容器体に縦置きに収納した時に折り曲げずに中蓋２ないし外蓋３で閉止できる長さ、例えば約１１．０ｃｍ、容量が例えば１０〜３０ｇ入りに設定してある。またスティックの長さ方向の上下縁辺４1を接着密封してある。５は角形小袋体であり、その前後の縁辺５１を接着密封してある。６は米以外の穀粒、すなわち、脱穀後に米と一緒に炊き込めるように精穀してある粟、稗、黍、麦、豆（大豆・小豆）を示し、これを単一種類又は複数種類に混ぜてスティック形袋体４又は角形小袋体５又はその他適宜の形状を有する小袋に収容して密封する。７は熱収縮性プラスチックフィルム、８は当該プラスチックフィルムに印刷表示した品名等表示部、８′は品名表示と一緒に印刷した品質等表示部、９は容器に収容する食品の鮮度を保つための脱酸素材、１０は複数本の容器体をまとめて格納する紙製ケースを示し、図示例は約２合入り容器体１を６本格納したものを示す。
【００２２】
「具体的な加工例１」
本考案の具体的「加工例１」を説明する。
（１）  １合入り、２合入り、３合入り、４合入り、５合入りの中から設定の広口の開口１1を有する円筒形容器本体１を選択して用意する。
（２）  上記の所定容量入り円筒形容器体１に、米以外の穀粒である、精米と一緒に炊き込めるように精穀してある粟、稗、黍、麦、豆（大豆・小豆）のうち、必要な穀粒を選定し、又は複数種類に混ぜ合わせた穀粒を所定量宛当該容器体１に収容する。
（３）  上記の穀粒を収容した際に当該穀粒の鮮度を保つための脱酸素材９を入れてプラスチック膜を積層してあるシート状の中蓋２を高周波溶着で開口部１1を密封する。
（４）  容器体１の開口部１1のネジ部１nに外蓋３のネジ部３nを螺合して閉蓋する。
（５）  使用に当たっては、炊飯する米の量に合わせて米以外の精穀してある穀粒の量を好みの割合に設定して容器体１から取り出して米に混ぜて炊飯する。
【００２３】
「具体的な加工例２」
（１）  約２合入りの中から設定の広口の開口部１1を有する円筒形容器本体１を用意する。
（２）  一方、別途工程にて、米以外の穀物である、精米と一緒に炊き込めるように精穀してある粟、稗、黍、麦、豆（大豆・小豆）のうち、必要な穀粒６を選定してスティック形袋体４に袋詰めする。
（３）  上記の多数種類の穀粒を１種類ずつ分けてスティック形袋体４に詰める工程を経て、複数種類の穀粒別に詰めたスティック形袋体４を１種類又は複数の種類を適宜に組み合わせて容器本体１に収容する。又は穀粒６が複数種類入りのスティック形袋体４を収容する。
（４）  必要に応じて上記の穀粒を収容した際に当該穀粒の鮮度を保つための脱酸素材９を入れる。
（５）  容器体１の開口部１1のネジ部１nに外蓋３のネジ部３nを螺合して閉蓋する。なお、前記のスティック形袋体４に代えて図４に示す角形小袋体５に米以外の精穀してある穀粒６を詰める
（６）  次に、円筒形容器体１に品名等の表示部８、品質等表示部８′を印刷した円筒形の熱収縮性プラスチックフィルム７を円筒形容器本体の胴部１2に巻き付けて装着し、熱収縮によって当該胴部１2に密着させる。（図１、図２）
（７）  次に、販売のために陳列や出荷の段階で米以外の粟、稗、麦等の穀粒６を詰めてある円筒形容器体１を当該穀粒の種類別に組み合わせて６本入りの紙製ケース９でパック詰めに収納する（図５）。
【産業上の利用可能性】
【００２４】
本願考案に係る円筒形容器体は、米と一緒に炊き込めるように精穀してある、粟、稗、麦等の穀粒６のほか、精米や無洗米の収納にも適するもので、米入り容器体と米以外の粟、稗、麦等の穀粒入り円筒形容器体１を適宜に組み合わせて紙パック１０に詰めて炊飯セットとすることができる。
【図面の簡単な説明】
【００２５】
【図１】本考案に係る米以外の穀粒を収容した包装用保型容器の一部縦断した正面図。
【図２】米以外の穀粒を詰めた複数本のスティック袋を包装用保型容器に収納した包装用保型容器の一部縦断した正面図。
【図３】包装用保型容器に収納する米以外の穀粒を詰めたスティック袋体の正面図。
【図４】包装用保型容器に収納する米以外の穀粒を詰めた角形小袋体の斜視図。
【図５】米以外の穀粒入り容器を６本入りの紙パックに収めた状態の斜視図。
【符号の説明】
【００２６】
１……容器本体
２……熱圧着式シート状中蓋
３……外蓋
４……スティック形袋体
５……角形小袋体
６……米以外の粟、稗、黍などの穀粒
７……熱収縮性プラスチックフィルム
８……品名等表示部
８′……品質等表示部
９……脱酸素剤
１０……紙製ケース
【図１】
0003138412.tif 000003
【図２】
0003138412.tif 000004
【図３】
0003138412.tif 000005
【図４】
0003138412.tif 000006
【図５】
0003138412.tif 000007